(57)【要約】【課題】膨張弁を要部の機構を装備するカセットユニットと、このカセットユニットが挿入されるハウジングにより構成し、両者をねじ機構により簡易に組立てる。【解決手段】膨張弁１は、冷媒の通路が形成されたハウジング１０とカセットユニット１００を備える。カセットユニット１００は、フランジ部１１１とチューブ部材１１０が別体に構成され、溶接手段Ｗ１で固着されている。フランジ部１１１の外周に外ねじ部１１１ａを設け、ハウジング１０の入口の内径部４２には、内ねじ部４２ａが設けてある。カセットユニットの蓋部材１２０の頭部１２１は六角形状を有し、レンチ等の工具を利用して、カセットユニット１００をハウジング１０に螺合して組立てる。【選択図】　　　　図１
2004050893.tif 000002
【特許請求の範囲】
【請求項１】
空調装置に装備されて冷媒の流量を制御する膨張弁であって、
空調装置の各機器に連通される配管が接続される冷媒の通路を有するハウジングと、ハウジングに挿入されるカセットユニットを備え、
カセットユニットは、フランジ部と、フランジ部とは別体に形成されるチューブ部材と、チューブ部材の内部に固定されるガイド部材、オリフィス部材及びプレート部材と、オリフィス部材が形成する弁室内に配備される弁体と、弁室を形成するプレート部材と弁体の間に設けられてオリフィス部材側へ向けて付勢するスプリングと、弁体を操作するシャフト部材と、フランジ部に溶接される蓋部材と、蓋部材とフランジ部に挟まれてガスチャージ室を形成するダイアフラムと、ダイアフラムの変位をシャフト部材に伝達するストッパ部材を備え、ハウジングのカセットユニット取付用の内径部の入口部に設けられる内ねじ部と、カセットユニットのフランジ部の外周部に設けられる外ねじ部を備える膨張弁。
【請求項２】
空調装置に装備されて冷媒の流量を制御する膨張弁であって、
空調装置の各機器に連通される配管が接続される冷媒の通路を有するハウジングと、ハウジングに挿入されるカセットユニットを備え、
カセットユニットは、フランジ部と、フランジ部と一体に形成されるチューブ部材と、チューブ部材の内部に固定されるガイド部材、オリフィス部材及びプレート部材と、オリフィス部材が形成する弁室内に配備される弁体と、弁室を形成するプレート部材と弁体の間に設けられてオリフィス部材側へ向けて付勢するスプリングと、弁体を操作するシャフト部材と、フランジ部に溶接される蓋部材と、蓋部材とフランジ部に挟まれてガスチャージ室を形成するダイアフラムと、ダイアフラムの変位をシャフト部材に伝達するストッパ部材を備え、ハウジングのカセットユニット取付用の内径部の入口部に設けられる内ねじ部と、カセットユニットのチューブ部材の外周部に設けられて外ねじ部を備える膨張弁。
【請求項３】
空調装置に装備されて冷媒の流量を制御する膨張弁であって、
空調装置の各機器に連通される配管が接続される冷媒の通路を有するハウジングと、ハウジングに挿入されるカセットユニットを備え、
カセットユニットは、フランジ部と、フランジ部と一体に形成されるチューブ部材と、チューブ部材の内部に固定されるガイド部材、オリフィス部材及びプレート部材と、オリフィス部材が形成する弁室内に配備される弁体と、弁室を形成するプレート部材と弁体の間に設けられてオリフィス部材側へ向けて付勢するスプリングと、弁体を操作するシャフト部材と、フランジ部に溶接される蓋部材と、蓋部材とフランジ部に挟まれてガスチャージ室を形成するダイアフラムと、ダイアフラムの変位をシャフト部材に伝達するストッパ部材を備え、ハウジングのカセットユニット取付用の内径部の入口部に設けられる内ねじ部と、カセットユニットのチューブ部材の外周部に固着されるリング部材と、リング部材の外周部に設けられる外ねじ部を備える膨張弁。
【請求項４】
カセットユニットの蓋部材は、平面形状が六角形に形成される請求項１乃至３のいずれかに記載の膨張弁。
【発明の詳細な説明】
【０００１】
【発明の属する技術分野】
この発明は、例えば車両の空調装置の冷凍サイクルに装備される膨張弁に関する。
【０００２】
【従来の技術】
例えば、特開平８−１５２２３２号公報は、膨張弁本体に対してダイアフラム室を有する機能部品を別体に構成し、この別体の機能部品を弁本体に組み込むことで、膨張弁を構成するものを開示している。そして、感温ケース内にバネを設けて、バネ受けとの間の長さをねじ機構により調整するものが記載されている。同様の構成は、特開平１１−３５１４４０号公報にも記載されている。
【０００３】
【発明が解決しようとする課題】
上述した特開平８−１５２２３２号公報に記載された膨張弁にあっては、感温ケースの取付部にねじ機構を備え、また機能部品全体を弁本体に固定する手段としてもねじ機構を使用しており、全体として複雑な構成とならざるを得ない。
本発明は、膨張弁を配管部材と膨張弁の機能を有するカセットユニットで構成することによって、より簡素化された構造を備える膨張弁を提供するものである。
【０００４】
【課題を解決するための手段】
本発明の膨張弁は、基本的な手段として、空調装置の各機器に連通される配管が接続される冷媒の通路を有するハウジングと、ハウジングに挿入されるカセットユニットを備える。そして、カセットユニットは、フランジ部と、フランジ部とは別体に形成されるチューブ部材と、チューブ部材の内部に固定されるガイド部材、オリフィス部材及びプレート部材と、オリフィス部材が形成する弁室内に配備される弁体と、弁室を形成するプレート部材と弁体の間に設けられてオリフィス部材側へ向けて付勢するスプリングと、弁体を操作するシャフト部材と、フランジ部に溶接される蓋部材と、蓋部材とフランジ部に挟まれてガスチャージ室を形成するダイアフラムと、ダイアフラムの変位をシャフト部材に伝達するストッパ部材を備える。また、ハウジングのカセットユニット取付用の内径部の入口部に設けられる内ねじ部と、カセットユニットのフランジ部の外周部に設けられる外ねじ部を備えるものである。
【０００５】
さらに、ハウジングのカセットユニット取付用の内径部の入口部に設けられる内ねじ部と、カセットユニットのチューブ部材の外周部に固着されるリング部材と、リング部材の外周部に設けられる外ねじ部を備えるものである。
【０００６】
【発明の実施の形態】
図１は、本発明のカセット構造を有する膨張弁の一実施形態を示す説明図である。
全体を符号１で示す膨張弁は、別部材で構成されるハウジング１０と、カセットユニット１００を備える。
ハウジング１０は、適宜の材料例えばアルミニウムで形成される本体２０を有し、本体２０には図示しないコンプレッサ側から供給される冷媒の配管が接続される通路３０、蒸発器側（図示せず）へ向かう冷媒の配管が接続される通路３２、蒸発器から戻る冷媒の配管が接続される通路３４、コンプレッサ側へ戻る冷媒の配管が接続される通路３６が形成される。
【０００７】
本体２０の中心部には、冷媒の通路に直交する方向に、段付の内径部４０，４２，４４，４６が加工される。内径部４６は、有底の穴を形成する。
ハウジング１０の本体２０の内径部に挿入されるカセットユニット１００は、例えばステンレス材を絞り加工等により形成するチューブ部材１１０を有する。チューブ部材１１０は、フランジ部１１１と別体に形成され、溶接手段Ｗ１により接合される。チューブ部材１１０は、段付部１１３，１１５が設けられる。チューブ部材１１０は、フランジ部１１１とは反対側の端部は開口している。
【０００８】
フランジ部１１１には、ストッパ部材１４０が配設され、ストッパ部材１４０の上面に当接するダイアフラム１３０の周辺部を挟んだ状態で蓋部材１２０が一体に溶接される。蓋部材１２０とダイアフラム１３０はガスチャージ室１２２を形成し、所定のガスが充填され、栓体１２４により封止される。このガスチャージ室１２２とダイアフラム１３０は、弁体の駆動機構を構成する。
蓋部材１２０の頭部１２１は、例えば、六角形の平面形状を有する。
【０００９】
チューブ部材１１０には、冷媒が通過する貫通穴１１２，１１４，１１６が形成されている。ストッパ部材１４０の下面には、シャフト部材１５０が当接され、シャフト部材１５０はガイド部材１７０、オリフィス部材１８０を貫通し、弁室１６１内に配置される弁体１６０に当接する。
球形の弁体１６０は、支持部材１６２により支持され、支持部材１６２はスプリング１６４を介して調整プレート１６６に支持される。
【００１０】
ガイド部材１７０にはシール部材１７４が挿入され、保持部材１７２により固定される。シール部材１７４は、シャフト部材１５０をガイドするとともに、蒸発器へ向かう冷媒の通路３２と、蒸発器から戻る冷媒の通路３４との間の冷媒の漏れをシールする。ガイド部材１７０はチューブ部材１１０に対してカシメ加工部Ｋ１により固定される。さらに、オリフィス部材１８０と調整プレート１６６もそれぞれカシメ加工部Ｋ２，Ｋ３により固定される。
【００１１】
カセットユニット１００と本体２０の内径部との間には、３個のシール部材６２，６４，６６が嵌着され、カセットユニット１００の外周部とハウジング１０の本体２０の内径部との間のシール部を形成する。
【００１２】
かかる構成により、蒸発器からコンプレッサ側に送出される冷媒の通路３４，３６内の低圧冷媒の温度がシャフト部材１５０及びストッパ部材１４０を介してガスチャージ室１２２に伝達され、ガスチャージ室１２２内に封入された冷媒の圧力が変化し、この圧力変化がダイアフラム１３０及びシャフト部材１５０により弁体１６０に伝達され、上記圧力変化とスプリング１６４の付勢力及び上記通路３４，３６内の冷媒圧力の釣り合う位置に弁体１６０が駆動されて、コンプレッサ側から供給される冷媒の通る通路３０から蒸発器に送出される冷媒の量が制御される。
【００１３】
カセットユニット１００をハウジング１０に固着する構造は以下の通りである。
ハウジング１０の入口の内径部４２には、内ねじ部４２ａが形成される。そして、フランジ部１１１の外周には、外ねじ部１１１ａが形成される。
カセットユニット１００の蓋部材１２０の頭部１２１は、平面形状が六角形に形成されている。そこで、カセットユニット１００をハウジング１０内にシール部材とともに挿入し、蓋部材１２０の頭部１２１にレンチ等の工具を当接し、フランジ部１１１の外ねじ部１１１ａをハウジング１０の内ねじ部４２ａに螺合する。
シール部材６２が弾性変形し、カセットユニット１００は、ハウジング１０に対して確実に固着される。
【００１４】
図２は、本発明の他の実施形態を示す説明図である。
この膨張弁のカセットユニット１００ａは、フランジ部１１１とチューブ部材１１０が一体に形成されており、チューブ部材１１０の外周に外ねじ部１１０ａが設けられている。
ハウジング１０の内径部４２には、内ねじ部４２ａが設けられている。
【００１５】
カセットユニット１００ａの蓋部材１２０の頭部１２１は、平面形状が六角形に形成されている。そこで、カセットユニット１００ａをハウジング１０内にシール部材とともに挿入し、蓋部材１２０の頭部１２１にレンチ等の工具を当接し、フランジ部１１１の外ねじ部１１１ａをハウジング１０の内ねじ部４２ａに螺合する。
シール部材６２が弾性変形し、カセットユニット１００ａは、ハウジング１０に対して確実に固着される。
【００１６】
図３、図４は、本発明の他の実施形態を示す説明図である。
この膨張弁のカセットユニット１００ｂは、フランジ部１１１とチューブ部材１１０が一体に形成されており、チューブ部材１１０の外周には、リング部材２００が溶接手段Ｗ１により固着されている。
【００１７】
図４にも示すように、リング部材２００の外周には、外ねじ部２００ａが形成してある。
ハウジング１０の内径部４２には、内ねじ部４２ａが設けられている。
カセットユニット１００ｂの蓋部材１２０の頭部１２１は、平面形状が六角形に形成されている。そこで、カセットユニット１００ｂをハウジング１０内にシール部材とともに挿入し、蓋部材１２０の頭部１２１にレンチ等の工具を当接し、フランジ部１１１の外ねじ部１１１ａをハウジング１０の内ねじ部４２ａに螺合する。
シール部材６２が弾性変形し、カセットユニット１００ｂは、ハウジング１０に対して確実に固着される。
【００１８】
【発明の効果】
本発明の膨張弁は以上のように、空調装置の各機器を結ぶ配管が取付けられるハウジングと、膨張弁の主要な機器を装備したカセットユニットを別体にして用意し、このカセットユニットをハウジングに対して組付けることで、膨張弁を完成するものである。
ハウジングに対するカセットユニットの固着手段として、ねじ機構を採用して全体の構造の簡素化を図っている。
【図面の簡単な説明】
【図１】本発明の実施形態を示す説明図。
【図２】本発明の他の実施形態を示す説明図。
【図３】本発明の他の実施形態を示す説明図。
【図４】リング部材の説明図。
【符号の説明】
１　膨張弁
１０　ハウジング
２０　本体
３０，３２，３４，３６　冷媒通路
４０，４２，４４，４６　内径部
１００　カセットユニット
１１０　チューブ部材
１１１　フランジ部
１２０　蓋部材
【図１】
2004050893.tif 000003
【図２】
2004050893.tif 000004
【図３】
2004050893.tif 000005
【図４】
2004050893.tif 000006